【手続補正書】
【提出日】平成17年1月25日(2005.1.25)
【手続補正１】
【補正対象書類名】特許請求の範囲
【補正対象項目名】全文
【補正方法】変更
【補正の内容】
【特許請求の範囲】
【請求項１】
第１のネットワークを介して複数の情報提供サーバと通信すると共に第２のネットワークを介して複数の移動端末と通信する中継装置において、
移動端末と、移動端末のユーザの属性を登録する登録手段と、
前記情報提供サーバから提供されたプッシュタイプ情報と、当該プッシュタイプ情報を受け取るべきユーザの属性を指定した属性情報を蓄積する蓄積手段と、
前記蓄積手段により蓄積された属性情報に基づき、前記登録手段により登録された属性を検索して対応する属性を有するユーザを決定する検索手段と、
前記第２のネットワークを介して、前記検索手段により決定されたユーザの移動端末に前記プッシュタイプ情報を送信する送信手段と
を有することを特徴とする中継装置。
【請求項２】
前記第１のネットワークを介して情報提供サーバから送信された前記プッシュタイプ情報と前記属性情報を受信する受信手段とを更に有する
ことを特徴とする請求項１に記載の中継装置。
【請求項３】
前記登録手段は、前記複数の移動端末の各々に関し、当該移動端末のユーザの属性に対応付けて当該移動端末の第２のネットワーク上の識別子を登録し、
前記送信手段は、前記蓄積手段により蓄積されたユーザの属性情報に応じた属性に対応付けて登録された第２のネットワーク上の識別子を用いて移動端末に対して呼出をかけ、当該移動端末からの前記呼出に対する応答に応じて前記プッシュタイプ情報を送信する
ことを特徴とする請求項１に記載の中継装置。
【請求項４】
前記送信手段は、前記移動端末からの前記呼出に対する要求に応じて前記プッシュタイプ情報を送信する
ことを特徴とする請求項３に記載の中継装置。
【請求項５】
前記移動端末の第２のネットワーク上の識別子は前記移動端末に予め割り当てられた第２のネットワーク上のアドレスである
ことを特徴とする請求項３に記載の中継装置。
【請求項６】
前記移動端末の第２のネットワーク上の識別子は前記移動端末の電話番号である
ことを特徴とする請求項３に記載の中継装置。
【請求項７】
前記登録手段は、移動端末の電話番号と、前記電話番号によって特定される移動端末のユーザの属性情報を登録する
ことを特徴とする請求項６に記載の中継装置。
【請求項８】
前記第２のネットワークは、特定の移動端末を収容するローカルネットワークであり、
前記第１のネットワークは、ネットワーク上の絶対的なアドレスを識別するための識別情報が割り当てられた前記情報提供サーバ等の情報資源を相互接続してなるグローバルネットワークである
ことを特徴とする請求項１に記載の中継装置。
【請求項９】
前記第２のネットワークは、移動端末である移動端末を収容する移動通信網であり、
前記第１のネットワークは、インターネットであることを特徴とする請求項８に記載の中継装置。
【請求項１０】
前記属性情報は、年齢、性別及び居住地の少なくともいずれか一つを含む
ことを特徴とする請求項１に記載の中継装置。
【請求項１１】
少なくとも一つの情報提供サーバを登録する情報提供サーバ登録手段と、プッシュタイプ情報を送信した情報提供サーバが登録されているか否かを決定する決定手段とを更に有し、
前記中継装置は、プッシュタイプ情報を提供する情報提供サーバが登録されていないと決定された場合は、当該プッシュタイプ情報の送信を拒否する
ことを特徴とする請求項１に記載の中継装置。
【請求項１２】
前記情報提供サーバ登録手段は、情報提供サーバの登録に際し当該情報提供サーバの前記第１のネットワーク上のアドレスを登録し、
前記決定手段は、前記プッシュタイプ情報を提供する情報提供サーバのアドレスを、前記情報提供サーバ登録手段により登録された情報提供サーバのアドレスと照合することにより、前記決定を行う
ことを特徴とする請求項１１に記載の中継装置。
【請求項１３】
前記蓄積手段は、前記決定手段によりプッシュタイプ情報を送信する情報提供サーバが登録されていると決定された場合にのみ、当該プッシュタイプ情報を蓄積する
ことを特徴とする請求項１１に記載の中継装置。
【請求項１４】
前記第１のネットワークは第１の通信プロトコルに従った通信を行い、前記第２のネットワークは前記第１の通信プロトコルとは異なる第２の通信プロトコルに従った通信を行い、
前記第１および第２の通信プロトコルを相互に変換するプロトコル変換手段をさらに備える
ことを特徴とする請求項１乃至１３のいずれかに記載の中継装置。
【請求項１５】
複数の情報提供サーバと、複数の移動端末と、前記複数の情報提供サーバと前記複数の移動端末との間で情報配信を中継する中継装置とを含むネットワークにおけるプッシュタイプ情報配信方法であって、
前記中継装置が、
移動端末と、移動端末のユーザの属性を登録するステップと、
前記情報提供サーバから提供されたプッシュタイプ情報と、当該プッシュタイプ情報を受け取るべきユーザの属性を指定した属性情報を蓄積するステップと、
前記蓄積された属性情報に基づき、前記登録された属性を検索して対応する属性を有するユーザを決定するステップと、
前記第２のネットワークを介して、前記決定されたユーザの移動端末に前記プッシュタイプ情報を送信するステップと
を備えるプッシュタイプ情報配信方法。
【手続補正２】
【補正対象書類名】明細書
【補正対象項目名】０００６
【補正方法】変更
【補正の内容】
【０００６】
上記課題を達成するために、本発明は、第１のネットワークを介して複数の情報提供サーバと通信すると共に第２のネットワークを介して複数の移動端末と通信する中継装置において、移動端末と、移動端末のユーザの属性を登録する登録手段と、前記情報提供サーバから提供されたプッシュタイプ情報と、当該プッシュタイプ情報を受け取るべきユーザの属性を指定した属性情報を蓄積する蓄積手段と、前記蓄積手段により蓄積された属性情報に基づき、前記登録手段により登録された属性を検索して対応する属性を有するユーザを決定する検索手段と、前記第２のネットワークを介して、前記検索手段により決定されたユーザの移動端末に前記プッシュタイプ情報を送信する送信手段とを有することを特徴とする中継装置を提供する。
【手続補正３】
【補正対象書類名】明細書
【補正対象項目名】０００７
【補正方法】変更
【補正の内容】
【０００７】
また、本発明は、複数の情報提供サーバと、複数の移動端末と、前記複数の情報提供サーバと前記複数の移動端末との間で情報配信を中継する中継装置とを含むネットワークにおけるプッシュタイプ情報配信方法であって、前記中継装置が、移動端末と、移動端末のユーザの属性を登録するステップと、前記情報提供サーバから提供されたプッシュタイプ情報と、当該プッシュタイプ情報を受け取るべきユーザの属性を指定した属性情報を蓄積するステップと、前記蓄積された属性情報に基づき、前記登録された属性を検索して対応する属性を有するユーザを決定するステップと、前記第２のネットワークを介して、前記決定されたユーザの移動端末に前記プッシュタイプ情報を送信するステップとを備えるプッシュタイプ情報配信方法を提供する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】